(57)【要約】【課題】同一の記録面において一定した記録品質を確保すること。【解決手段】外周方向に突出した突起を有し記録媒体Ｐの一方の面に当接するグリップローラによって搬送される記録媒体Ｐにおいて突起に接触した第１の領域７０１以外の第２の領域７０２に記録される各画素のうち、グリップローラにおける突起の配列パターンに応じて決定された所定の画素の濃度を補正した擬似画素を含む擬似記録画像データを生成し、生成した擬似記録画像データに基づいて記録動作をおこなうようにした。【選択図】図７
2014193544.tif 000002
【特許請求の範囲】
【請求項１】
記録媒体に対して昇華転写方式の記録動作をおこなう記録手段と、
外周方向に突出した突起を有し前記記録媒体の一方の面に当接する突起ローラを用いて、前記記録手段による記録動作の対象となる記録媒体を、当該記録手段による記録位置に搬送する搬送手段と、
前記搬送手段によって搬送される記録媒体の一方の面において前記突起に接触した第１の領域以外の第２の領域に記録される各画素のうち、前記突起ローラにおける前記突起の配列パターンに応じて決定された所定の画素について、当該所定の画素の濃度を補正した擬似画素を含む擬似記録画像データを生成する擬似記録画像データ生成手段と、
前記擬似記録画像データに基づいて前記記録手段を制御する記録制御手段と、
を備えたことを特徴とするプリンタ。
【請求項２】
前記擬似記録画像データ生成手段は、前記所定の画素の濃度を、当該所定の画素の周囲の画素の濃度よりも低くすることにより当該所定の画素の濃度を補正することを特徴とする請求項１に記載のプリンタ。
【請求項３】
前記擬似記録画像データ生成手段は、前記所定の画素の濃度を、元の画像データにおける前記所定の画素の濃度よりも所定の割合で低くすることにより前記擬似記録画像データを生成することを特徴とする請求項２に記載のプリンタ。
【請求項４】
前記突起ローラは、当該突起ローラに当接することにより前記記録媒体の一方の面に生じる突起痕の大きさが、前記第２の領域との境界に近い位置ほど小さくなるように設けられた突起を有し、
前記擬似記録画像データ生成手段は、前記第１の領域に記録される各画素のうち、前記突起ローラにおける前記突起の配列パターンに応じて決定された所定の画素について、前記第２の領域との境界に遠い位置における前記所定の画素ほど、当該境界から近い位置における前記所定の画素よりも濃度補正量または径の少なくとも一方を小さくした擬似画素を含み、前記第２の領域に記録される各画素のうち、前記突起ローラにおける前記突起の配列パターンに応じて決定された所定の画素については、前記第１の領域の前記所定の画素において、境界部の画素と同等の濃度補正量、径の疑似画素を含む擬似記録画像データを生成することを特徴とする請求項１〜３のいずれか一つに記載のプリンタ。
【請求項５】
前記記録手段によって前記記録媒体の他方の面に記録動作がおこなわれた後の記録媒体を前記記録位置に対して前記一方の面に表裏を反転する反転手段を備え、
前記搬送手段は、さらに、前記反転手段により反転した記録媒体を前記記録位置に搬送し、
前記擬似記録画像データ生成手段は、前記反転手段による反転後に前記一方の面に対しておこなう記録動作にかかる前記擬似記録画像データを生成することを特徴とする請求項１〜４のいずれか一つに記載のプリンタ。
【請求項６】
前記記録手段は、前記記録媒体の他方の面に記録動作をおこなう第１の記録手段と、前記一方の面に記録動作をおこなう第２の記録手段と、を備え、
前記擬似記録画像データ生成手段は、前記第１の記録手段による記録動作がおこなわれた後の前記第２の記録手段による記録動作にかかる前記擬似記録画像データを生成することを特徴とする請求項１〜４のいずれか一つに記載のプリンタ。
【請求項７】
前記擬似記録画像データ生成手段は、さらに、前記他方の面に記録される各画素のうち、前記突起ローラにおける前記突起の配列パターンに応じて決定された所定の画素の濃度を補正した擬似画素を含む擬似記録画像データを生成することを特徴とする請求項５または６に記載のプリンタ。
【発明の詳細な説明】
【技術分野】
【０００１】
この発明は、記録媒体の両面への記録が可能なプリンタに関する。
【背景技術】
【０００２】
従来、外部装置から画像の記録指示を受け付け、当該画像を構成する各画素を、シアン（Ｃ）、マゼンタ（Ｍ）およびイエロー（Ｙ）の各色に分解し、分解した各色の画像を重ねあわせる記録動作をおこなうプリンタがあった。このようなプリンタにおいては、各色の画像の記録位置がずれないように、外周方向に突出した突起を有するグリップローラと、当該グリップローラに対向するピンチローラとから構成されるローラ対によって記録媒体を挟持することにより、各色の画像の記録位置のずれを防止するようにした技術があった（たとえば、下記特許文献１を参照。）。
【０００３】
このようなプリンタにおいて、両面に対する記録動作をおこなう場合、記録媒体をグリップローラとピンチローラとによって挟持すると、両面記録をおこなった記録物の表面または裏面の記録面にグリップローラの突起の痕がついてしまう。記録対象とする記録媒体における記録層に対して、インクリボンが備えるインク層に含有される昇華性染料（昇華性色素）を転写することによる、いわゆる昇華転写方式の記録動作をおこなうプリンタの場合、突起痕がついていると昇華性染料（昇華性色素）が良好に転写できず、記録品質が低下してしまう。
【０００４】
この対策として、従来、インクを熱転写した記録面にオーバーコート層を熱転写するプリンタにおいて、オーバーコート前においては記録面にグリップローラが強く押圧され、オーバーコート後においては記録面にグリップローラが強く押圧されないように、グリップローラとピンチローラとの間の押圧力を調整するようにした技術があった（たとえば、下記特許文献２を参照。）。
【０００５】
また、従来、インクを熱転写した記録面にオーバーコート層を熱転写するプリンタにおいて、オーバーコート層を熱転写する際には表面が平滑なフィードローラによって記録媒体を搬送することにより、オーバーコート層が熱転写された記録面にグリップローラの突起が接触しないようにした技術があった（たとえば、下記特許文献３を参照。）。
【０００６】
また、従来、記録媒体の片面に対して記録動作をおこなうプリントヘッドと、当該記録媒体の裏面に対して記録動作をおこなうプリントヘッドとを備えたプリンタにおいて、記録媒体に対してグリップローラと同側に配置されたプリントヘッドとグリップローラとのパスライン上の距離を記録媒体のプリント長よりも長くすることによって、記録面にグリップローラが接触しないようにした技術があった（たとえば、下記特許文献４を参照。）。
【０００７】
また、従来、少なくとも記録媒体の印画済み領域におけるグリップローラの突起に対応する範囲を押圧しながら加熱し、該当する範囲の記録媒体に設けられた受容層を軟化させた状態で押圧することにより、突起痕を平滑化するようにした技術があった（たとえば、下記特許文献５を参照。）。
【先行技術文献】
【特許文献】
【０００８】
【特許文献１】特開２０００−１５８８６号公報
【特許文献２】特開２０１１−４６１５７号公報
【特許文献３】特開２０１１−４６１５６号公報
【特許文献４】特開２０１１−４６１５５号公報
【特許文献５】特開２００８−２０７４４７号公報
【発明の概要】
【発明が解決しようとする課題】
【０００９】
しかしながら、上述した特許文献２や特許文献３に記載された従来の技術は、突起痕が目立ちにくくなるものの、グリップローラの突起部に当接した記録領域には突起痕が残っているため、同一の記録面における記録位置によって記録品質に差異が生じるという問題があった。
【００１０】
また、上述した特許文献４に記載された従来の技術は、記録媒体を搬送する経路長が長くなるため、プリンタが大型化するという問題があった。また、特許文献５に記載された従来の技術は、記録媒体を押圧しながら加熱する機構を設けるため、構造が複雑化し、プリンタが大型化するという問題があった。
【００１１】
この発明は、上述した従来技術による問題点を解消するため、同一の記録面において一定した記録品質を確保することができるプリンタを提供することを目的とする。
【００１２】
また、この発明は、上述した従来技術による問題点を解消するため、構造を複雑化したり大型化したりすることなく、同一の記録面において一定した記録品質を確保することができるプリンタを提供することを目的とする。
【課題を解決するための手段】
【００１３】
上述した課題を解決し、目的を達成するため、この発明にかかるプリンタは、記録媒体に対して昇華転写方式の記録動作をおこなう記録手段と、外周方向に突出した突起を有し前記記録媒体の一方の面に当接する突起ローラを用いて、前記記録手段による記録動作の対象となる記録媒体を、当該記録手段による記録位置に搬送する搬送手段と、前記搬送手段によって搬送される記録媒体の一方の面において前記突起に接触した第１の領域以外の第２の領域に記録される各画素のうち、前記突起ローラにおける前記突起の配列パターンに応じて決定された所定の画素について、当該所定の画素の濃度を補正した擬似画素を含む擬似記録画像データを生成する擬似記録画像データ生成手段と、前記擬似記録画像データに基づいて前記記録手段を制御する記録制御手段と、を備えたことを特徴とする。
【００１４】
また、この発明にかかるプリンタは、上記の発明において、前記擬似記録画像データ生成手段が、前記所定の画素の濃度を、当該所定の画素の周囲の画素の濃度よりも低くすることにより当該所定の画素の濃度を補正することを特徴とする。
【００１５】
また、この発明にかかるプリンタは、上記の発明において、前記擬似記録画像データ生成手段が、前記所定の画素の濃度を、元の画像データにおける前記所定の画素の濃度よりも所定の割合で低くすることにより前記擬似記録画像データを生成することを特徴とする。
【００１６】
また、この発明にかかるプリンタは、上記の発明において、前記突起ローラが、当該突起ローラに当接することにより前記記録媒体の一方の面に生じる突起痕の大きさが、前記第２の領域との境界に近い位置ほど小さくなるように設けられた突起を有し、前記擬似記録画像データ生成手段が、前記第１の領域に記録される各画素のうち、前記突起ローラにおける前記突起の配列パターンに応じて決定された所定の画素について、前記第２の領域との境界に遠い位置における前記所定の画素ほど、当該境界から近い位置における前記所定の画素よりも濃度補正量または径の少なくとも一方を小さくした擬似画素を含み、前記第２の領域に記録される各画素のうち、前記突起ローラにおける前記突起の配列パターンに応じて決定された所定の画素については、前記第１の領域の前記所定の画素において、境界部の画素と同等の濃度補正量、径の疑似画素を含む擬似記録画像データを生成することを特徴とする。
【００１７】
また、この発明にかかるプリンタは、上記の発明において、前記記録手段によって前記記録媒体の他方の面に記録動作がおこなわれた後の記録媒体を前記記録位置に対して前記一方の面に表裏を反転する反転手段を備え、前記搬送手段が、さらに、前記反転手段により反転した記録媒体を前記記録位置に搬送し、前記擬似記録画像データ生成手段が、前記反転手段による反転後に前記一方の面に対しておこなう記録動作にかかる前記擬似記録画像データを生成することを特徴とする。
【００１８】
また、この発明にかかるプリンタは、上記の発明において、前記記録手段が、前記記録媒体の他方の面に記録動作をおこなう第１の記録手段と、前記一方の面に記録動作をおこなう第２の記録手段と、を備え、前記擬似記録画像データ生成手段が、前記第１の記録手段による記録動作がおこなわれた後の前記第２の記録手段による記録動作にかかる前記擬似記録画像データを生成することを特徴とする。
【００１９】
また、この発明にかかるプリンタは、上記の発明において、前記擬似記録画像データ生成手段が、さらに、前記他方の面に記録される各画素のうち、前記突起ローラにおける前記突起の配列パターンに応じて決定された所定の画素の濃度を補正した擬似画素を含む擬似記録画像データを生成することを特徴とする。
【発明の効果】
【００２０】
この発明にかかるプリンタによれば、同一の記録面において一定した記録品質を確保することができるという効果を奏する。
【００２１】
また、この発明にかかるプリンタによれば、構造を複雑化したり大型化したりすることなく、同一の記録面において一定した記録品質を確保することができるという効果を奏する。
【図面の簡単な説明】
【００２２】
【図１】この発明にかかる実施の形態のプリンタの外観を示す説明図である。
【図２】図１のＡ−Ａ断面図（その１）である。
【図３】図１のＡ−Ａ断面図（その２）である。
【図４】図１のＡ−Ａ断面図（その３）である。
【図５】図１のＡ−Ａ断面図（その４）である。
【図６】この発明にかかる実施の形態のプリンタのハードウエア構成を示す説明図である。
【図７】擬似画素のイメージの一例を示す説明図である。
【図８−１】突起痕のイメージの一例を示す説明図である。
【図８−２】擬似画素のイメージの別の一例を示す説明図である。
【図８−３】擬似画素と突起痕との関係の一例を示す説明図である。
【図９】記録媒体の他方の面における擬似画素のイメージの一例を示す説明図である。
【図１０】この発明にかかる実施の形態のプリンタの処理手順を示すフローチャートである。
【発明を実施するための形態】
【００２３】
以下に添付図面を参照して、この発明にかかるプリンタの好適な実施の形態を詳細に説明する。
【００２４】
まず、この発明にかかる実施の形態のプリンタの外観について説明する。図１は、この発明にかかる実施の形態のプリンタの外観を示す説明図である。図１において、この発明にかかる実施の形態のプリンタ１００は、略箱形の外観をなす。プリンタ１００は、プリンタユニット（記録ユニット）１０１と給紙・用紙反転ユニット（反転ユニット）１０２とを備えている。
【００２５】
プリンタ１００は、たとえば、台などの上面に設置して使用する。プリンタ１００を設置した状態において、プリンタユニット１０１は給紙・用紙反転ユニット１０２の上側に配置され、給紙・用紙反転ユニット１０２はプリンタユニット１０１の下側に配置される。プリンタユニット１０１と、給紙・用紙反転ユニット１０２と、は分離可能とされている。
【００２６】
プリンタユニット１０１と給紙・用紙反転ユニット１０２との連結部には、プリンタユニット１０１および給紙・用紙反転ユニット１０２の位置決めのための形状（図示を省略する）が設けられている。これにより、プリンタユニット１０１と給紙・用紙反転ユニット１０２とを分離可能に構成した場合にも、プリンタユニット１０１と給紙・用紙反転ユニット１０２との位置関係を精度よくかつ容易に確保することができる。プリンタ１００（プリンタユニット１０１）の筐体１０１ａには、プリンタ１００の状態を報知する各種の状態報知ランプ１０３が設けられている。
【００２７】
プリンタユニット１０１は、記録対象となる記録媒体（印画紙）に対する記録動作をおこなう。給紙・用紙反転ユニット１０２は、プリンタユニット１０１における記録位置に対して、記録対象となる記録媒体の表裏を反転し、表裏を反転した記録媒体をプリンタユニット１０１に供給する。プリンタユニット１０１は、表裏を反転した記録媒体に対する記録動作をおこなうことにより、記録媒体に対する両面記録をおこなうことができる。
【００２８】
この発明にかかる実施の形態のプリンタ１００は、記録対象とする記録媒体における記録層に対して、インクリボンが備えるインク層に含有される熱拡散性色素（昇華性色素）を転写することによる、いわゆる昇華転写方式の記録動作をおこなう。このような昇華転写方式の記録動作をおこなうプリンタは、たとえば、昇華型プリンタ（Ｄｙｅ−ｓｕｂｌｉｍａｔｉｏｎ  ｐｒｉｎｔｅｒ）などと称される。
【００２９】
昇華型プリンタであるプリンタ１００は、記録層を備えた記録媒体（図８−１〜図８−３、図９を参照）を記録対象とする。記録媒体が備える記録層は、紙などによって形成される基材の表面に設けられる。記録層は、基材に塗布、あるいは貼り合わされる断熱層と、当該断熱層に積層される受容層と、によって構成されている。受容層は、インクリボンが備えるインク層に含有される熱拡散性色素（昇華性色素）の転写を受け付ける。
【００３０】
この発明にかかる実施の形態のプリンタ１００は、記録媒体の片面に対する記録動作（片面記録）をおこなう場合は片面記録に適した記録媒体を用い、記録媒体の両面に対する記録動作（両面記録）をおこなう場合は両面記録に適した記録媒体を用いる。具体的には、片面記録に適した記録媒体は、当該記録媒体の基材の片面にのみ記録層が設けられている。また、具体的には、両面記録に適した記録媒体は、当該記録媒体の基材の両面に、それぞれ記録層が設けられている。
【００３１】
昇華型プリンタは、記録媒体に転写するインクの濃度を、記録するドットごとに調整することができる。このため、昇華型プリンタは、階調表現に優れている。優れた階調表現ができることから、昇華型プリンタは、写真印刷用途にも耐えうる画質を得ることができる。このため、昇華型プリンタは、近年、ＤＴＰ（ＤｅｓｋＴｏｐ  Ｐｕｂｌｉｓｈｉｎｇ：卓上出版）用途にも用いられている。
【００３２】
昇華転写方式の記録動作に用いられるインクリボンは、長尺状の基材と、当該基材の一面側に設けられたインク層を備えている。インク層は、昇華性染料インク（昇華性染料（昇華性色素）を含有するインク、すなわち昇華インク）によって形成されている。インクリボンについては、説明を後述する。
【００３３】
プリンタ１００は、プリンタユニット１０１に設けられた片面印刷物排出口１０４や、給紙・用紙反転ユニット１０２に設けられた両面印刷物排出口１０５を備えている。プリンタ１００は、プリンタユニット１０１において記録をおこなった記録物を、片面印刷物排出口１０４や両面印刷物排出口１０５を介して筐体１０１ａの外に排出する。
【００３４】
この実施の形態においては、片面印刷物排出口１０４を介して記録物が排出される位置によって第１の記録媒体排出位置を実現することができる。また、この実施の形態においては、両面印刷物排出口１０５を介して記録物が排出される位置によって第２の記録媒体排出位置を実現することができる。片面記録がおこなわれた記録物は、片面印刷物排出口１０４を介して筐体１０１ａの外に排出され、片面印刷物排出口１０４の近くに用意された、図示されない排紙トレイ上に載置される。両面記録がおこなわれた記録物は、両面印刷物排出口１０５を介して筐体１０１ａの外に排出され、排紙トレイ１０６上に載置（積層）される。
【００３５】
（プリンタ１００の内部構成）
つぎに、この発明にかかる実施の形態のプリンタ１００の内部構成について説明する。図２、図３、図４および図５は、図１のＡ−Ａ断面図である。図２、図３、図４および図５において、プリンタユニット１０１は、図示を省略する制御基板を備えている。制御基板は、プリンタ１００の各部を駆動制御するマイクロコンピュータを備えている（図６を参照）。
【００３６】
また、プリンタユニット１０１は、第１の記録媒体保持部（記録媒体保持部）２０１を備えている。第１の記録媒体保持部２０１は、基材の片面に記録層が設けられた、片面記録に適した記録媒体Ｐを保持する。第１の記録媒体保持部２０１が保持する記録媒体Ｐは、長尺状をなし、長さ方向に沿ってロール状に巻回されている。第１の記録媒体保持部２０１は、巻回された状態の長尺状の記録媒体Ｐを、外周側から引き出し可能に保持する。以下、第１の記録媒体保持部２０１が保持する記録媒体Ｐを、適宜「ロール紙」とし、符号Ｐ１を付して説明する。
【００３７】
具体的には、第１の記録媒体保持部２０１は、ロール紙Ｐ１の巻き取り中心となる巻き取り芯を、当該巻き取り芯が回転可能な状態で保持する。これによって、第１の記録媒体保持部２０１は、ロール紙Ｐ１の外周側の端部を、第１の記録媒体保持部２０１から引き出し可能な状態で保持することができる。
【００３８】
プリンタユニット１０１は、第１の記録媒体搬送経路２０２を備えている。第１の記録媒体搬送経路２０２は、第１の記録媒体排出位置につながる片面印刷物排出口１０４と第１の記録媒体保持部２０１との間に形成されており、第１の記録媒体保持部２０１から片面印刷物排出口１０４に至る。
【００３９】
第１の記録媒体保持部２０１と第１の記録媒体搬送経路２０２との境界位置の近傍には、第１の用紙センサ２０３が設けられている。第１の用紙センサ２０３は、第１の記録媒体保持部２０１から第１の記録媒体搬送経路２０２に引き出される記録媒体Ｐ（ロール紙Ｐ１）の有無に応じて出力値が変化する。具体的には、第１の用紙センサ２０３は、たとえば、マイクロスイッチやフォトセンサによって実現することができる。
【００４０】
プリンタユニット１０１は、記録部（記録手段）２０４を備えている。記録部２０４は、サーマルヘッド２０５とプラテン２０６とを備えている。サーマルヘッド２０５とプラテン２０６とは、第１の記録媒体搬送経路２０２を間にして対向配置されている。サーマルヘッド２０５は、プラテン２０６に接触する位置とプラテン２０６から離間する位置とに移動可能に設けられている。
【００４１】
サーマルヘッド２０５は、記録媒体Ｐの幅方向（図２における紙面表裏方向）に沿ってライン状に配列された複数の発熱素子（発熱抵抗体）や、当該発熱素子を駆動するドライバＩＣ（図６を参照）などを備えている。ドライバＩＣは、図示を省略する電源から、サーマルヘッド２０５における各発熱素子に接続された電極配線に選択的に通電することによって、通電された電極配線に対応する発熱素子を発熱させる。サーマルヘッド２０５は、発熱素子において発生した熱をインクリボン２０７に伝達し、当該インクリボン２０７に設けられた昇華性染料インクを記録媒体に昇華転写することによって、記録媒体に対する記録動作をおこなう。
【００４２】
プラテン２０６は、記録媒体の幅方向を軸心方向とする円筒形状をなし、軸心周りに回転可能に設けられている。プラテン２０６は、接触する記録媒体の動きに合わせて、受動的に回転しながら、記録媒体を挟んで対向するサーマルヘッド２０５が記録媒体にかける圧力を受け止める。
【００４３】
また、記録部２０４は、リボンユニット２０８を備えている。リボンユニット２０８は、インクリボン２０７を保持する一対のローラ２０９、２１０を備えている。一対のローラ２０９、２１０は、巻き取りローラ２０９と供給ローラ２１０とによって構成される。巻き取りローラ２０９は、回転可能に設けられており、図２における時計回り方向に回転することにより、供給ローラ２１０が保持するインクリボン２０７を、当該リボンの一端側から巻き上げる。供給ローラ２１０は、巻回された長尺状のインクリボン２０７を、当該インクリボン２０７の外周側から繰り出し可能に保持する。供給ローラ２１０は、巻き取りローラ２０９が回転することによるインクリボン２０７の巻き上げにともなって、図２における時計回り方向に回転し、インクリボン２０７を外周側から繰り出す。
【００４４】
一対のローラ２０９、２１０は、サーマルヘッド２０５とプラテン２０６との間において、インクリボン２０７が張り渡されるようにして当該インクリボン２０７を保持する。一対のローラ２０９、２１０は、サーマルヘッド２０５とプラテン２０６との間において、インクリボン２０７におけるインク層がプラテン２０６に対向する状態で、当該インクリボン２０７を保持する。
【００４５】
プリンタユニット１０１において、第１の記録媒体保持部２０１と第１の記録媒体搬送経路２０２との接続位置には、フラップ２１１が設けられている。フラップ２１１は、片面印刷時にはロール紙Ｐ１を第１の記録媒体保持部２０１から第１の記録媒体搬送経路２０２へガイドするとともに、両面記録時には片面印刷物排出口１０４からサーマルヘッド２０５側に向かって搬送される両面印刷（両面記録）用の記録媒体であるカット紙Ｐ２が第１の記録媒体保持部２０１に進入しないように、当該記録媒体Ｐの搬送位置をガイドする。
【００４６】
プリンタユニット１０１において、片面印刷物排出口１０４の近傍には、第１のカッタ機構（第１の切断手段）２１２が設けられている。第１のカッタ機構２１２は、位置が固定された固定刃と、固定刃と接触しており、第１の記録媒体搬送経路２０２を分断する位置に設けられた可動刃と、を備えている（符号を省略する）。可動刃は、外周部分に刃を備えた円板形状をなし、固定刃に沿って記録媒体の幅方向に移動（往復移動）可能に設けられている。可動刃は、記録媒体の切断を待機している場合などの非動作時は、記録媒体の通過に支障のない位置に位置付けられる。
【００４７】
第１のカッタ機構２１２は、可動刃駆動用のモータなどの駆動源や、当該可動刃駆動用のモータが発生させた駆動力を可動刃に伝達する動力伝達機構（図示を省略する）などを備えている。第１のカッタ機構２１２は、記録媒体Ｐにおける切断位置（すなわち切断対象とする位置）が、第１の記録媒体搬送経路２０２において可動刃が当該第１の記録媒体搬送経路２０２を横断するように移動（往復移動）する位置（すなわち第１のカッタ機構２１２による切断位置）まで搬送された状態で、可動刃駆動用のモータが発生させた駆動力によって可動刃を記録媒体Ｐの幅方向に移動させることによって記録媒体Ｐを切断する。
【００４８】
また、プリンタユニット１０１は、グリップローラ２１３とピンチローラ２１４とを備えている。グリップローラ２１３は、外周方向に突出した突起を有する。グリップローラ２１３は、記録媒体Ｐに対して、当該記録媒体Ｐの一方の面に当接する。グリップローラ２１３は、記録部２０４による記録動作中の記録媒体Ｐの記録面の裏面側から当該記録媒体Ｐに当接する。ピンチローラ２１４は、第１の記録媒体搬送経路２０２を間にしてグリップローラ２１３に対向配置されている。
【００４９】
グリップローラ２１３とピンチローラ２１４とは、第１の記録媒体搬送経路２０２を搬送される記録媒体Ｐを挟持する。グリップローラ２１３およびピンチローラ２１４が記録媒体を挟持して搬送できる力（グリップ力）を、記録媒体が記録部や用紙搬送経路から受ける負荷よりも十分大きく確保することにより、グリップローラ２１３と、記録媒体Ｐがスリップすることを防止できる。
【００５０】
グリップローラ２１３とピンチローラ２１４で、記録媒体Ｐを挟持した状態で、グリップローラ２１３を回転させることにより、サーマルヘッド２０５およびプラテン２０６による記録位置に対する当該記録媒体Ｐの位置を制御できる。この実施の形態においては、グリップローラ２１３およびピンチローラ２１４によって位置制御手段を実現することができる。
【００５１】
また、プリンタユニット１０１において、片面印刷物排出口１０４の近傍であって、プリンタ１００を設置した状態において第１のカッタ機構２１２の下方となる位置には、第１の余白片収容部２１５が設けられている。第１の余白片収容部２１５は、プリンタ１００を設置した状態における上方に開口部を備え、当該開口部を介して第１のカッタ機構２１２が動作することにより発生した余白片を収容する。
【００５２】
第１の余白片収容部２１５は、プリンタユニット１０１の筐体１０１ａに対して着脱可能に設けられている。プリンタ１００の利用者は、プリンタユニット１０１の筐体１０１ａから第１の余白片収容部２１５を取り外すことにより、第１のカッタ機構２１２が動作することにより発生した余白片を容易に廃棄することができる。
【００５３】
給紙・用紙反転ユニット１０２は、プリンタユニット１０１に設けられた電源から電力の供給を受けて動作する。給紙・用紙反転ユニット１０２は、第２の記録媒体保持部２１６を備えている。第２の記録媒体保持部２１６は、基材の両面に記録層が設けられた、両面記録に適した記録媒体Ｐを保持する。第２の記録媒体保持部２１６は、シート状の記録媒体Ｐを、それぞれの記録媒体Ｐを積層した状態で保持する。以下、第２の記録媒体保持部２１６が保持する記録媒体を、適宜「カット紙」とし、符号Ｐ２を付して説明する。
【００５４】
給紙・用紙反転ユニット１０２は、第２の記録媒体搬送経路２１７を備えている。第２の記録媒体搬送経路２１７は、プリンタユニット１０１における第１の記録媒体搬送経路２０２と第２の記録媒体保持部２１６との間に形成され、第２の記録媒体保持部２１６から第１の記録媒体搬送経路２０２に至る。また、給紙・用紙反転ユニット１０２は、第２の記録媒体搬送経路２１７中にある記録媒体Ｐを、第２の記録媒体保持部２１６から第１の記録媒体搬送経路２０２に向かう方向に搬送する用紙搬送ローラ２１８Ａ、２１８Ｃを備えている。
【００５５】
給紙・用紙反転ユニット１０２は、シート供給機構（シート供給手段）２１９を備えている。シート供給機構２１９は、第２の記録媒体保持部２１６が保持するシート状の記録媒体Ｐ（カット紙Ｐ２）を、一枚ずつに捌いて第２の記録媒体搬送経路２１７に供給する。シート供給機構２１９は、用紙切り出しローラ２２０と用紙分離部（摩擦シート）２２１とを備えている。
【００５６】
用紙切り出しローラ２２０は、第２の記録媒体保持部２１６が保持する記録媒体Ｐ（カット紙Ｐ２）のうち、最上位に積層されている記録媒体Ｐ（以下、適宜「最上位紙」という）に当接する。用紙切り出しローラ２２０は、たとえば、シリコンゴムを用いて形成することができる。また、シート供給機構２１９は、第２の記録媒体保持部２１６が保持する記録媒体の量（枚数）にかかわらず、用紙切り出しローラ２２０が常時最上位紙に当接するように、当該用紙切り出しローラ２２０を付勢する付勢機構２２２を備えている。
【００５７】
この実施の形態において、用紙切り出しローラ２２０、用紙搬送ローラ２１８Ａ、および用紙分離部（摩擦シート）２２１は、表面が平滑ではなく、表面が凹凸形状をなしている。あるいは、用紙切り出しローラ２２０、用紙搬送ローラ２１８Ａ、および用紙分離部（摩擦シート）２２１は、表面が平滑ではなく、凹部あるいは凸部が設けられていてもよい。具体的に、用紙切り出しローラ２２０、用紙搬送ローラ２１８Ａ、および用紙分離部（摩擦シート）２２１は、表面に、たとえば、エンボス加工、像肌加工などを施すことにより表面が平滑でなくなるようにすることができる。
【００５８】
第２の記録媒体保持部２１６が保持する記録媒体Ｐ（カット紙Ｐ２）を第２の記録媒体搬送経路２１７に供給する際には、最上位紙に用紙切り出しローラ２２０を当接させた状態で、当該用紙切り出しローラ２２０の軸を中心として、図２における反時計回り方向に回転させる。これにより、用紙切り出しローラ２２０と最上位紙との間の摩擦力によって、最上位紙が当該最上位紙の図２における紙面右側の端部から第２の記録媒体搬送経路２１７に移動する。
【００５９】
このとき、最上位紙である記録媒体Ｐ（カット紙Ｐ２）と当該最上位紙よりも下側に積層されている記録媒体Ｐ（カット紙Ｐ２）との摩擦、当該下側に積層されている記録媒体Ｐ（カット紙Ｐ２）どうしの摩擦などによって、複数枚の記録媒体Ｐ（カット紙Ｐ２）が同時に、第２の記録媒体搬送経路２１７に向かって移動しようとする。第２の記録媒体保持部２１６において、図２における紙面右側には、用紙分離部（摩擦シート）２２１が設けられているため、用紙切り出しローラ２２０の回転によって第２の記録媒体搬送経路２１７に向かって移動しようとする複数枚の記録媒体Ｐ（カット紙Ｐ２）は、いずれも、用紙分離部（摩擦シート）２２１に当接する。そして、第２の記録媒体搬送経路２１７に向かって移動しようとする複数枚の記録媒体Ｐ（カット紙Ｐ２）に対して、当該移動を規制する規制力が作用し、これらの複数枚の記録媒体Ｐ（カット紙Ｐ２）の移動が停止する。
【００６０】
用紙切り出しローラ２２０を形成する材料あるいは用紙切り出しローラ２２０の表面形状は、第２の記録媒体保持部２１６が保持する記録媒体Ｐ（カット紙Ｐ２）と用紙切り出しローラ２２０との間に作用する摩擦力が、記録媒体Ｐ（カット紙Ｐ２）の端部と用紙分離部（摩擦シート）２２１との間に作用する摩擦力よりも大きくなるように調整されている。また、用紙分離部（摩擦シート）２２１を形成する材料あるいは用紙分離部（摩擦シート）２２１の表面形状は、記録媒体Ｐ（カット紙Ｐ２）の端部と用紙分離部（摩擦シート）２２１との間に作用する摩擦力は、記録媒体Ｐ（カット紙Ｐ２）どうしの間に作用する摩擦力よりも大きくなるように調整されている。
【００６１】
これにより、シート供給機構２１９は、用紙切り出しローラ２２０の回転によって第２の記録媒体搬送経路２１７に向かって移動しようとする複数枚の記録媒体Ｐ（カット紙Ｐ２）のうち、用紙切り出しローラ２２０が直に接触している最上位紙のみを、第２の記録媒体保持部２１６から第２の記録媒体搬送経路２１７に供給することができる。
【００６２】
第２の記録媒体保持部２１６と第２の記録媒体搬送経路２１７との境界位置の近傍には、第２の用紙センサ２２３が設けられている。第２の用紙センサ２２３は、第２の記録媒体保持部２１６から第２の記録媒体搬送経路２１７に供給された記録媒体Ｐの有無に応じて出力値が変化する。具体的には、第２の用紙センサ２２３は、たとえば、第１の用紙センサ２０３と同様に、マイクロスイッチやフォトセンサによって実現することができる。
【００６３】
給紙・用紙反転ユニット１０２は、第３の記録媒体搬送経路２２４を備えている。第３の記録媒体搬送経路２２４は、一部が第２の記録媒体搬送経路２１７と重複している。第３の記録媒体搬送経路２２４は、両端が第１の記録媒体搬送経路２０２に連続した、ループ形状をなしている。また、給紙・用紙反転ユニット１０２は、第１の記録媒体搬送経路２０２から第３の記録媒体搬送経路２２４に排出された記録媒体Ｐを、当該第３の記録媒体搬送経路２２４を経由して、再び第１の記録媒体搬送経路２０２に供給する方向に搬送する用紙搬送ローラ２１８Ｂを備えている。
【００６４】
第３の記録媒体搬送経路２２４がループ形状をなしているため、第１の記録媒体搬送経路２０２から第３の記録媒体搬送経路２２４に排出された記録媒体Ｐは、用紙搬送ローラ２１８Ｂ、および２１８Ｃによって当該第３の記録媒体搬送経路２２４中を搬送されることにより、再び第１の記録媒体搬送経路２０２に供給される。第３の記録媒体搬送経路２２４中を搬送される記録媒体Ｐは、当該第３の記録媒体搬送経路２２４中を搬送されることにより、記録部２０４の記録位置（サーマルヘッド２０５の発熱素子に対向する位置）に対して、表裏を反転した状態で、再び第１の記録媒体搬送経路２０２に供給される。この発明にかかる実施の形態のプリンタ１００においては、第３の記録媒体搬送経路２２４および当該第３の記録媒体搬送経路２２４において記録媒体Ｐを搬送する用紙搬送ローラ２１８Ｂ、２１８Ｃおよび当該用紙搬送ローラ２１８Ｂ、２１８Ｃに駆動力を付与する機構などによって、反転手段を実現することができる。
【００６５】
上記の用紙搬送ローラのうち、記録動作中に記録媒体Ｐが到達する位置に存在する用紙搬送ローラ２１８Ｂは、記録動作中は記録媒体Ｐに触れない位置に退避可能に設けられている。具体的には、用紙搬送ローラ２１８Ｂとモータとの間の輪列に連動してローラ位置が搖動するような機構（いずれも図示を省略する）を設けることにより、用紙搬送ローラ２１８Ｂに駆動力を付与するモータが記録媒体Ｐの搬送方向に回転した場合に、用紙搬送ローラ２１８Ｂのうち受動的に回転するローラ（押圧ローラ）が記録媒体Ｐに押し付けられるように動作し、モータが逆方向へ回転すると記録媒体Ｐから受動ローラが離れるように動く構成とすることによって実現することができる。
【００６６】
また、用紙切り出しローラ２２０の駆動と、用紙搬送ローラ２１８Ａ、２１８Ｂ、２１８Ｃの駆動は、動力となるモータとそれぞれのローラに到達するまでの輪列の中に、反対方向に回転した場合は空転することにより、駆動を遮断するワンウェイクラッチを挿入すれば、モータの回転方向を切り換えることにより、一つのモータでおこなうことができるが、その場合、モータと用紙切り出しローラ２２０との間の輪列には、適当な量のガタ（遊び）を設けることが好ましい。これによって、記録媒体Ｐ（カット紙Ｐ２）の表裏を反転した後に、用紙搬送ローラ２１８Ｂが退避する位置まで当該用紙搬送ローラ２１８Ｂに対応するモータを逆転させても、第２の記録媒体保持部２１６が保持する記録媒体Ｐ（カット紙Ｐ２）が切り出されないように構成することができる。
【００６７】
給紙・用紙反転ユニット１０２が備える用紙搬送ローラ２１８のうち、表裏を反転された記録媒体Ｐが通過する位置に設けられた用紙搬送ローラ２１８Ｃは、クリーニングローラを兼ねている。クリーニングローラを兼ねる用紙搬送ローラ２１８Ｃは、記録媒体Ｐを搬送するとともに、再びプリンタユニット１０１に供給された際に記録動作がおこなわれる面（裏面）を清掃する。
【００６８】
第３の記録媒体搬送経路２２４において、第２の記録媒体搬送経路２１７と重複している部分には、フラップ２２５が設けられている。フラップ２２５は、第１の記録媒体搬送経路２０２から第３の記録媒体搬送経路２２４に排出された記録媒体Ｐの、第３の記録媒体搬送経路２２４における搬送位置を案内する。フラップ２２５は、記録媒体Ｐを第１の記録媒体搬送経路２０２から第３の記録媒体搬送経路２２４に排出する場合と、記録媒体Ｐを第３の記録媒体搬送経路２２４から第１の記録媒体搬送経路２０２に供給する場合とで、それぞれ異なる位置に位置付けられる（図２および図４を参照）。
【００６９】
具体的には、フラップ２２５は、記録媒体を第１の記録媒体搬送経路２０２から第３の記録媒体搬送経路２２４に排出する場合は、図２に示した位置に位置付けられる。また、具体的には、フラップ２２５は、記録媒体を第３の記録媒体搬送経路２２４から第１の記録媒体搬送経路２０２に供給する場合は、図４に示した位置に位置付けられる。
【００７０】
給紙・用紙反転ユニット１０２は、第４の記録媒体搬送経路２２６を備えている。第４の記録媒体搬送経路２２６は、第２の記録媒体排出位置につながる両面印刷物排出口１０５と、第１の記録媒体搬送経路２０２における給紙・用紙反転ユニット１０２側の端部との間に形成され、第１の記録媒体搬送経路２０２から両面印刷物排出口１０５に至る。また、給紙・用紙反転ユニット１０２は、第１の記録媒体搬送経路２０２から第４の記録媒体搬送経路２２６中に排出された記録媒体Ｐを、第１の記録媒体搬送経路２０２から両面印刷物排出口１０５に向かう方向に搬送する用紙搬送ローラ２１８Ｄ、２１８Ｅを備えている。
【００７１】
第１の記録媒体搬送経路２０２から第４の記録媒体搬送経路２２６に排出された記録媒体Ｐは、グリップローラ２１３とピンチローラ２１４とによって把持された状態で、用紙搬送ローラ２１８Ｄ、２１８Ｅの搬送力を受けることによって、両面印刷物排出口１０５を介して給紙・用紙反転ユニット１０２の外に向かう方向に搬送される。この実施の形態においては、用紙搬送ローラ２１８Ｄ、２１８Ｅ、グリップローラ２１３およびピンチローラ２１４などによって、第１の記録媒体搬送経路２０２から第４の記録媒体搬送経路２２６中に排出された記録媒体Ｐを、両面印刷物排出口１０５を介して給紙・用紙反転ユニット１０２の外（第２の記録媒体排出位置）まで搬送する記録媒体排出手段を実現することができる。
【００７２】
第３の記録媒体搬送経路２２４において、第２の記録媒体搬送経路２１７と重複している部分であって、第４の記録媒体搬送経路２２６との境界位置には、フラップ２２７が設けられている。フラップ２２７は、プリンタユニット１０１から第１の記録媒体搬送経路２０２を介して給紙・用紙反転ユニット１０２へ排出された記録媒体の搬送位置を案内する。フラップ２２７は、プリンタユニット１０１から第１の記録媒体搬送経路２０２を介して給紙・用紙反転ユニット１０２へ排出された記録媒体Ｐが第４の記録媒体搬送経路２２６に進入することを防止する位置（図２、図３、図４を参照）と、当該記録媒体Ｐを第４の記録媒体搬送経路２２６に案内する位置（図５を参照）と、のいずれか一方に選択的に位置付けられる。
【００７３】
また、給紙・用紙反転ユニット１０２において、両面印刷物排出口１０５の近傍には、第２のカッタ機構（第２の切断手段）２２８が設けられている。第２のカッタ機構２２８は、当該第２のカッタ機構２２８による切断位置と、プリンタユニット１０１が備えるグリップローラ２１３などの用紙搬送ローラ２１８との距離が、プリンタ１００において、記録媒体Ｐ（カット紙Ｐ２）に記録可能な最小の記録物の長さより短くなる位置に設けられている。
【００７４】
第２のカッタ機構２２８は、第１のカッタ機構２１２と同様の構成をなし、位置が固定された固定刃と、第２の記録媒体搬送経路２１７を間にして固定刃に対向する位置に設けられた可動刃と、を備えている（いずれも符号を省略する）。第２のカッタ機構２２８は、第１のカッタ機構２１２と同様の構成をなすため、説明を省略する。
【００７５】
この発明にかかる実施の形態のプリンタ１００において、フラップ２２７は、第４の記録媒体搬送経路２２６に設けられた用紙搬送ローラ２１８Ｄ、および用紙搬送ローラ２１８Ｅの駆動をおこなうモータの駆動力によって動作する。このフラップ２２７を駆動するモータは、第４の記録媒体搬送経路２２６に設けられた用紙搬送ローラ２１８Ｄ、２１８Ｅの駆動とフラップ２２７の駆動とを兼用する。
【００７６】
具体的には、フラップ２２７が回動する支点となる支点軸上に歯車を設け、当該歯車を、図示を省略するクラッチ機構（トルクリミッタ）により排出側の用紙搬送ローラ２１８Ｄ、２１８Ｅを駆動する輪列と結合する。フラップ２２７は、第４の記録媒体搬送経路２２６において記録媒体Ｐを排出する方向へ用紙搬送ローラ２１８Ｄ、２１８Ｅを回転させるようモータを駆動すると、記録媒体Ｐを両面印刷物排出口１０５から排出する方向へ導く方向へ動くように構成されている（図５の位置）。また、フラップ２２７は、第４の記録媒体搬送経路２２６において記録媒体Ｐを排出する方向とは逆方向へ用紙搬送ローラ２１８Ｄ、２１８Ｅを回転させるようモータを駆動すると、第３の記録媒体搬送経路２２４側へ導く方向へ動くように構成されている（図２の位置）。用紙搬送ローラ２１８Ｆは、第１の記録媒体保持部２０１が保持する記録媒体Ｐ（ロール紙Ｐ１）を第１の記録媒体保持部２０１から第１の記録媒体搬送経路２０２中に引き出す際に所定方向に回転される。
【００７７】
また、給紙・用紙反転ユニット１０２において、両面印刷物排出口１０５の近傍であって、プリンタ１００を設置した状態において第２のカッタ機構２２８の下方となる位置には、第２の余白片収容部２２９が設けられている。第２の余白片収容部２２９は、プリンタ１００を設置した状態における上方に開口部を備え、当該開口部を介して第２のカッタ機構２２８が動作することにより発生した余白片を収容する。
【００７８】
第２の余白片収容部２２９は、給紙・用紙反転ユニット１０２の筐体１０１ａに対して着脱可能に設けられている。プリンタ１００の利用者は、給紙・用紙反転ユニット１０２の筐体１０１ａから第２の余白片収容部２２９を取り外すことにより、第２のカッタ機構２２８が動作することにより発生した余白片を容易に廃棄することができる。
【００７９】
この発明にかかる実施の形態のプリンタ１００においては、第２の記録媒体保持部２１６が保持するシート状の記録媒体Ｐ（カット紙Ｐ２）を第２の記録媒体搬送経路２１７に供給する動作（切り出し動作）と、第２の記録媒体搬送経路２１７に供給した（切り出した）記録媒体Ｐ（カット紙Ｐ２）を給紙・用紙反転ユニット１０２からプリンタユニット１０１へ搬送する動作と、を１つのモータでおこなうように構成してもよい。
【００８０】
具体的には、たとえば、第２の記録媒体搬送経路２１７に記録媒体Ｐ（カット紙Ｐ２）を供給する（切り出す）用紙切り出しローラ２２０、および、給紙・用紙反転ユニット１０２からプリンタユニット１０１へ搬送する用紙搬送ローラ２１８Ａ、２１８Ｂ、２１８Ｃまでの各々の輪列中にワンウェイクラッチを設け、用紙切り出しローラ２２０を駆動しているときには、用紙搬送ローラ２１８Ａ、２１８Ｂ、２１８Ｃまでの輪列中のワンウェイクラッチが空転して駆動力が伝達されず、用紙搬送ローラ２１８Ａ、２１８Ｂ、２１８Ｃを駆動しているときには、用紙切り出しローラ２２０までの輪列中のワンウェイクラッチが空転して駆動力が伝達されないような構成によって実現することができる。
【００８１】
これにより、シート供給機構２１９を駆動するモータの回転方向により、第２の記録媒体搬送経路２１７および第３の記録媒体搬送経路２２４において、記録媒体Ｐ（カット紙Ｐ２）を切り出す、あるいは、切り出す動作はおこなわないで、記録媒体Ｐ（カット紙Ｐ２）を搬送するなどの複数の動作を１つのモータによって選択的におこなうことができる。
【００８２】
（プリンタ１００のハードウエア構成）
つぎに、この発明にかかる実施の形態のプリンタ１００のハードウエア構成について説明する。図６は、この発明にかかる実施の形態のプリンタ１００のハードウエア構成を示す説明図である。図６において、プリンタ１００は、マイクロコンピュータ６０１と、通信Ｉ／Ｆ（インターフェイス）６０２と、ドライバＩＣ６０３と、モータドライバ６０４と、状態報知ランプ１０３と、第１の用紙センサ２０３および第２の用紙センサ２２３と、を備えている。マイクロコンピュータ６０１、通信Ｉ／Ｆ６０２、ドライバＩＣ６０３、モータドライバ６０４、状態報知ランプ１０３、第１の用紙センサ２０３および第２の用紙センサ２２３の各部は、バス６０５によって接続されている。
【００８３】
マイクロコンピュータ６０１は、プリンタ１００が備える各部を駆動制御する。マイクロコンピュータ６０１は、たとえば、ＣＰＵ、ＲＯＭやＲＡＭなどのメモリ、入出力回路やタイマー回路などの各種回路を実装した基板によって実現することができる。この実施の形態のプリンタ１００においては、マイクロコンピュータ６０１によって、当該プリンタユニット１０１が備える各部および給紙・用紙反転ユニット１０２が備える各部を駆動制御する制御手段を実現することができる。
【００８４】
マイクロコンピュータ６０１は、メモリに記憶された各種データや通信Ｉ／Ｆ６０２を介して外部装置から受信した各種データに基づいて、当該メモリに記憶された各種の制御プログラムをＣＰＵにおいて実行することによってプリンタ１００が備える各部を駆動制御する。マイクロコンピュータ６０１において、ＣＰＵは、たとえば、記録命令情報に基づく印刷にかかるイメージデータを展開する際のワークエリアとしてＲＡＭを使用する。
【００８５】
通信Ｉ／Ｆ６０２は、図示を省略する外部装置に接続されている。通信Ｉ／Ｆ６０２は、ネットワークと内部とのインターフェイスをつかさどり、コンピュータ装置におけるデータの入出力を制御する。外部装置は、たとえば、プリンタ１００に対する記録命令情報を生成し、生成した記録命令情報をプリンタ１００に対して出力する。記録命令情報は、たとえば、記録媒体Ｐに記録する画像などに関する情報や、当該情報の記録を指示するコマンドなどを含む。外部装置は、具体的には、デジタルカメラで撮影した画像をプリント出力するサービスを提供するＤＰＥ（Ｄｅｖｅｌｏｐｍｅｎｔ，Ｐｒｉｎｔｉｎｇ，Ｅｎｌａｒｇｅｍｅｎｔ）店（写真の「現像・焼き付け・引き伸ばし」業務をおこなう店）などに設置されたパーソナルコンピュータによって実現することができる。
【００８６】
上記のマイクロコンピュータ６０１は、通信Ｉ／Ｆ６０２を介して、外部装置から出力された記録命令情報の入力を受け付けた場合、当該記録命令情報に基づいて擬似記録画像データ（図７を参照）を生成する。この実施の形態のプリンタ１００においては、マイクロコンピュータ６０１によって、擬似記録画像データ生成手段を実現することができる。
【００８７】
ドライバＩＣ６０３は、マイクロコンピュータ６０１によって駆動制御される。ドライバＩＣ６０３は、マイクロコンピュータ６０１によって駆動制御されることにより、サーマルヘッド２０５における複数の発熱素子のそれぞれに対応する電極配線に対して選択的に通電する。これにより、各発熱素子を選択的に発熱させることができる。サーマルヘッド２０５の発熱素子において発生した熱をインクリボン２０７を介して記録媒体Ｐの記録層に伝達することによって、当該インクリボン２０７に設けられた昇華性染料インクを記録媒体Ｐに昇華転写し、記録媒体Ｐに対する記録動作をおこなうことができる。
【００８８】
モータドライバ６０４は、マイクロコンピュータ６０１によって駆動制御される。モータドライバ６０４は、マイクロコンピュータ６０１によって駆動制御されることにより、グリップローラ２１３用のモータ、用紙搬送ローラ２１８Ａ、２１８Ｂ、２１８Ｃ用のモータ、用紙搬送ローラ２１８Ｄ、２１８Ｅ用のモータ、用紙切り出しローラ２２０用のモータ、可動刃駆動用のモータおよびサーマルヘッド２０５を移動させるためのモータなどの各種モータ６００を駆動制御する。
【００８９】
グリップローラ２１３用のモータや用紙搬送ローラ２１８Ａ、２１８Ｂ、２１８Ｃ用のモータ、用紙搬送ローラ２１８Ｄ、２１８Ｅ用のモータ、および用紙切り出しローラ２２０用のモータは、たとえば、ステッピングモータなどによって実現することができる。可動刃駆動用のモータは、たとえば、ＤＣモータなどによって実現することができる。モータドライバ６０４は、グリップローラ２１３用のモータ、用紙搬送ローラ２１８用のモータおよび可動刃駆動用のモータなどのモータごとに設けることができる。
【００９０】
モータドライバ６０４は、マイクロコンピュータ６０１からの制御信号に基づいて該当するモータを駆動制御し、各種モータ６００の励磁シーケンスや印加する電流の方向を切り換える。各種モータ６００は、それぞれ、モータドライバ６０４によって駆動制御されることにより、電気エネルギーを機械エネルギーに変換し、回転駆動力を発生する。また、各種モータ６００の回転方向は、モータドライバ６０４による励磁シーケンスや印加する電流の方向の切り換えに応じて切り換わる。
【００９１】
状態報知ランプ１０３は、マイクロコンピュータ６０１によって駆動制御され、プリンタ１００の状態に応じて点灯したり消灯したりする。状態報知ランプ１０３は、たとえば、ＬＥＤによって実現することができる。状態報知ランプ１０３は、たとえば、プリンタ１００への電源の供給状態、プリンタ１００におけるエラー発生の有無、記録媒体Ｐの有無などの報知内容に応じて点灯したり消灯したりする。
【００９２】
状態報知ランプ１０３は、たとえば、報知内容ごとに複数設けることができる。あるいは、状態報知ランプ１０３は、たとえば、報知内容ごとに発光色を異ならせてもよい。あるいは、状態報知ランプ１０３は、たとえば、報知内容ごとに点滅させたり点灯させたりして、報知内容ごとに点灯パターンを異ならせてもよい。
【００９３】
第１の用紙センサ２０３および第２の用紙センサ２２３の出力値は、マイクロコンピュータ６０１に入力される。第１の用紙センサ２０３および第２の用紙センサ２２３の出力値は、常時マイクロコンピュータ６０１に入力されるものであってもよく、出力値に変化があった場合にマイクロコンピュータ６０１に入力されるものであってもよい。
【００９４】
（グリップローラ２１３における突起の配列密度）
つぎに、グリップローラ２１３における突起の配列密度について説明する。グリップローラ２１３は、外周面に突起を有することにより、記録媒体Ｐの一方の面に対して確実にグリップし、記録媒体Ｐの搬送に際して高い搬送精度を確保することができる。一方で、グリップローラ２１３が外周面に突起を有することにより、記録媒体Ｐの一方の面においては、搬送に際して当該突起に接触した部分が凹む。凹んだ部分は、インクリボンに密着しづらく、インクが良好に転写されない傾向にある。このため、記録媒体Ｐの一方の面において、グリップローラ２１３に当接した後に記録動作をおこなった記録面（記録媒体Ｐの一方の面）には、インクが良好に転写されない部分が白く抜けた部分（突起痕）が発生する。
【００９５】
グリップローラ２１３における突起のピッチを疎にすると、白く抜けた部分（突起痕）による記録画像全体における平均濃度低下は少なくなるが、突起痕一つ一つの白い点が目立つようになる。グリップローラ２１３における突起のピッチを密にすると、一つ一つの白点は目立ちにくくなる（人間の感覚として気にならなくなる）が、白く抜けた部分（突起痕）のある領域が多くなるため、記録画像全体においては、白く抜けた部分（突起痕）のない領域に比べて濃度が低下したことが目立つようになる。また、グリップローラ２１３における突起のピッチを密にしすぎると、濃度低下量が大きくなることに加えて、記録媒体Ｐを搬送する搬送力が低下し、色ごとに記録位置がずれてしまうなどのトラブルの原因となる。
【００９６】
このため、この実施の形態のプリンタ１００が備えるグリップローラ２１３は、グリップローラ２１３に接触した記録媒体Ｐの一方の面における突起痕のピッチが、８〜２２箇所／ｍｍ2程度となるような配列密度で突起が設けられていることが好ましい。ただし、グリップローラ２１３における突起の配列密度は、８〜２２箇所／ｍｍ2の範囲に限定されるものではない。グリップローラ２１３における突起の配列密度は、記録対象とする記録媒体Ｐの種類（表面の平滑性、厚さ、堅さなど）に応じて適宜設定することができる。
【００９７】
（擬似画素のイメージの一例）
つぎに、マイクロコンピュータ６０１が生成する擬似記録画像データについて説明する。図７は、擬似画素のイメージの一例を示す説明図である。図７においては、擬似記録画像データにしたがって記録動作をおこなった場合の記録面（記録媒体Ｐの一方の面）における擬似画素のイメージを示している。
【００９８】
図７において、擬似記録画像データは、グリップローラ２１３によって搬送される記録媒体Ｐの一方の面においてグリップローラ２１３の突起に接触した第１の領域７０１以外の第２の領域７０２に記録される各画素のうち、グリップローラ２１３における突起の配列パターンに応じて決定された所定の画素の濃度を補正した擬似画素（第２の領域７０２におけるドットを参照）を含む。擬似記録画像データは、第２の領域７０２のみに擬似画素を含む。
【００９９】
第１の領域７０１は、符号７０１ａで示す幅で、記録媒体Ｐの搬送方向に連続する領域に相当する。第２の領域７０２は、符号７０２ａで示す幅で、記録媒体Ｐの搬送方向に連続する領域に相当する。幅７０１ａは、グリップローラ２１３において突起が設けられている領域の幅２１３ａによって定められる。幅７０２ａは、グリップローラ２１３において突起が設けられている領域の間の幅によって定められる。図７において、符号７０３は、第１の領域７０１と第２の領域７０２との境界を示している。
【０１００】
たとえば、グリップローラ２１３において、記録媒体Ｐの一方の面における突起痕のピッチが８〜２２箇所／ｍｍ2程度となるような配列密度で突起が設けられている場合、第１の領域７０１においては、突起の配列密度と一致する８〜２２箇所／ｍｍ2程度のピッチで突起痕が生じる。このようなグリップローラ２１３を用いる場合、マイクロコンピュータ６０１は、第２の領域７０２において８〜２２箇所／ｍｍ2程度のピッチ、あるいは更に密なピッチで擬似画素が記録されるような擬似記録画像データを生成する。
【０１０１】
画素は、画像を構成する最小単位であって、それぞれが色情報を保持している。色情報は、各画素におけるレッド（Ｒ）、グリーン（Ｇ）およびブルー（Ｂ）の各色の濃度を示す情報であって、各色の濃度のバランスによって各画素の色を表現する。マイクロコンピュータ６０１は、外部装置から受け付けた記録命令情報によって示される画像を構成する各画素の色情報を、ＲＧＢカラーからＣＭＹ（シアン（Ｃ）、マゼンタ（Ｍ）、イエロー（Ｙ））カラーに変換する。
【０１０２】
擬似画素は、外部装置から受け付けた記録命令情報によって示される画像における所定の画素の濃度（本来の濃度）を補正することによって生成することができる。マイクロコンピュータ６０１は、第２の領域７０２における所定の画素の濃度を、当該所定の画素の周囲の画素の濃度よりも低くすることにより当該所定の画素の濃度を補正した擬似画素を含む擬似記録画像データを生成する。
【０１０３】
具体的には、マイクロコンピュータ６０１は、擬似記録画像データにおける所定の画素の濃度を、外部装置から受け付けた記録命令情報によって示される画像における所定の画素の濃度（本来の濃度）よりも所定の割合で低くすることにより補正をおこない、擬似記録画像データを生成することができる。
【０１０４】
マイクロコンピュータ６０１は、たとえば、擬似画素におけるＣ、Ｍ、Ｙのすべての色の濃度を低くすることによって擬似記録画像データを生成する。また、マイクロコンピュータ６０１は、たとえば、擬似画素におけるＣ、Ｍ、Ｙの中のいずれか１色あるいは２色の濃度を低くすることによって擬似記録画像データを生成してもよい。
【０１０５】
擬似画素におけるＣ、Ｍ、Ｙのすべての色、あるいは、Ｃ、Ｍ、Ｙの中のいずれか２色の濃度を低くする場合、本来の濃度に対して同じ割合で濃度を低くする。また、擬似画素におけるＣ、Ｍ、Ｙのすべての色、あるいは、Ｃ、Ｍ、Ｙの中のいずれか２色の濃度を低くする場合、色ごとにそれぞれ異なる割合で濃度を低くしてもよい。さらに、疑似画素における濃度は、元画像の濃度に対し同じ割合で低くするのではなく、突起痕が目立ちやすい画像濃度に対しては濃度を低くする割合を大きくし、突起痕が目立ちにくい画像濃度に対しては濃度度低くする割合を小さくしてもよい。
【０１０６】
（擬似画素のイメージの別の一例）
つぎに、擬似画素のイメージの別の一例について説明する。図８−２は、擬似画素のイメージの別の一例を示す説明図である。図８−２においては、図７に示した擬似画素とは異なるパターンの擬似画素を含む擬似記録画像データにしたがって記録動作をおこなった場合の記録面（記録媒体Ｐの一方の面）における擬似画素のイメージを示している。
【０１０７】
図８−２に示すように、マイクロコンピュータ６０１は、第２の領域７０２に記録される各画素のうち、グリップローラ２１３における突起の配列パターンに応じて決定された所定の画素について、所定の割合で濃度を低くし、更に、第１の領域７０１に記録される各画素のうち、グリップローラ２１３における突起の配列パターンに応じて決定された所定の画素について、第２の領域７０２との境界７０３に近い位置における所定の画素ほど、当該境界７０３から遠い位置における所定の画素よりも濃度補正量を大きく（濃度を低く、透明度を低く）し、境界７０３に近い位置における疑似画素の濃度補正量を、第２の領域における疑似画素の濃度補正量に近い値に設定した擬似画素を含む擬似記録画像データを生成してもよい。
【０１０８】
この場合、マイクロコンピュータ６０１は、第１の領域７０１において、境界７０３に近い位置における擬似画素の元の画像データにおける所定の画素の濃度に対する濃度低下量を、当該境界７０３から遠い位置における擬似画素の元の画像データにおける所定の画素の濃度に対する濃度低下量よりも高くする。
【０１０９】
また、この場合、マイクロコンピュータ６０１は、第１の領域７０１における各擬似画素のうち、境界７０３にもっとも近い位置における擬似画素の濃度低下量を、第２の領域７０２における疑似画素の濃度低下量と同等とする。
【０１１０】
図８−１は、突起痕のイメージの一例を示す説明図である。図８−２に示したパターンの擬似画素を含む擬似記録画像データにしたがって記録動作をおこなう場合、グリップローラ２１３に記録媒体Ｐを押しあてるピンチローラ２１４の圧力や、グリップローラ２１３の突起の大きさを調整することにより、図８−１に示すように、突起痕のある領域（第１の領域７０１）のうち、記録媒体Ｐの両端ほど突起痕の大きさが大きく、突起痕が生じない第２の領域７０２との境界７０３に近いほど突起痕の大きさが小さくなるように設定することが好ましい。このように設定することにより、第１の領域７０１における記録物の濃度は、突起痕によって、記録媒体Ｐの両端ほど低く、境界７０３に近いほど高くなる（ように見える）ように徐々に変化する。
【０１１１】
この場合、具体的には、たとえば、ピンチローラ２１４がグリップローラ２１３に記録媒体Ｐを押しあてる圧力が、記録媒体Ｐの両端ほど大きくし、第２の領域７０２との境界７０３に近いほど小さくなるように調整する。あるいは、この場合、具体的には、たとえば、記録媒体Ｐの両端ほど大きく、第２の領域７０２との境界７０３に近いほど小さくなるように、グリップローラ２１３の突起の大きさを調整してもよい。
【０１１２】
第１の領域７０１におけるグリップローラ２１３による突起痕の大きさが一定であると、突起痕のある領域（第１の領域７０１）と突起痕の無い領域（第２の領域７０２）との境界７０３で記録物の濃度（記録媒体Ｐの一方の面における記録画像の濃度）が急激に変化する。突起痕による濃度低下は、このような記録物の急激な濃度変化が生じている位置において目立ちやすくなる。
【０１１３】
上記のように、突起痕のある領域（第１の領域７０１）のうち、記録媒体Ｐの両端ほど突起痕の大きさが大きく、突起痕が生じない第２の領域７０２との境界７０３に近いほど突起痕の大きさが小さくなるように、ピンチローラ２１４の圧力やグリップローラ２１３の突起の大きさを調整することにより、突起痕により生じる記録物の濃度変化をなだらかにすることができる。
【０１１４】
このような状況において、図８−２に示したパターンの擬似画素を含む擬似記録画像データにしたがって記録動作をおこなうことにより、第１の領域７０１において、記録媒体Ｐの両端ほど低く境界７０３に近いほど高くなる（ように見える）ように記録物の濃度を徐々に変化させる突起痕（図８−１を参照）に対し、境界７０３に近い位置ほど当該境界７０３から遠い位置よりも濃度を小さく（低く）した擬似画素が記録された画像が重ね合わされる。
【０１１５】
図８−３は、擬似画素と突起痕との関係の一例を示す説明図である。図８−３に示したように、突起痕のある領域（第１の領域７０１）に、突起痕による濃度低下に応じた濃度に設定された疑似画素が配置された領域を重複させることにより、境界７０３をより目立ちにくくすることが可能となる。これにより、グリップローラ２１３による記録媒体Ｐの搬送力を低下させることなく、突起痕による記録物の濃度低下、特に境界部の濃度差を目立ちにくくすることができる。
【０１１６】
マイクロコンピュータ６０１は、外部装置から、記録媒体Ｐ（記録媒体Ｐの一方の面）の両面に対する記録動作の実行を指示する記録命令情報を受け付けた場合、記録位置に対して表裏を反転した後におこなう記録動作にかかる擬似記録画像データを生成する。これにより、グリップローラ２１３に当接した後に記録動作をおこなった記録面（記録媒体Ｐの一方の面）における突起痕を目立ちにくくすることができる。
【０１１７】
マイクロコンピュータ６０１は、外部装置から、記録媒体Ｐの両面に対する記録動作の実行を指示する記録命令情報を受け付けた場合、記録媒体Ｐの片面（記録位置に対して表裏を反転する前の記録媒体Ｐ、すなわち、記録媒体Ｐの他方の面）に記録される各画素のうち、グリップローラ２１３における突起の配列パターンに応じて決定された所定の画素の濃度を補正した擬似画素を含む擬似記録画像データを生成し、当該擬似記録画像データに基づいて記録媒体Ｐの片面（記録媒体Ｐの他方の面）に対する記録動作をおこなってもよい（図９を参照）。
【０１１８】
（擬似画素のイメージの一例）
つぎに、記録媒体Ｐの表面（記録位置に対して表裏を反転する前の記録媒体Ｐにおける記録面、他方の面）に対する記録動作にかかる擬似記録画像データについて説明する。図９は、記録媒体Ｐの他方の面における擬似画素のイメージの一例を示す説明図である。図９においては、記録媒体Ｐの他方の面（記録位置に対して表裏を反転する前の記録媒体Ｐにおける記録面）に対する記録動作にかかる擬似記録画像データにしたがって記録動作をおこなった場合の記録面における擬似画素のイメージを示している。
【０１１９】
図９に示すように、マイクロコンピュータ６０１は、記録媒体Ｐの他方の面にかかる擬似記録画像データとして、記録媒体Ｐの一方の面（記録位置に対して表裏を反転した後の記録媒体Ｐ）に生じる突起痕と同等のパターンの擬似画素を含む擬似記録画像データを生成する。マイクロコンピュータ６０１は、記録媒体Ｐの片面全体に擬似画素を含む擬似記録画像データを生成する。
【０１２０】
具体的には、この実施の形態のグリップローラ２１３を用いる場合、マイクロコンピュータ６０１は、記録媒体Ｐの他方の面全体において８〜２２箇所／ｍｍ2程度、あるいはそれより密なピッチで擬似画素が記録されるような擬似記録画像データを生成する。マイクロコンピュータ６０１は、外部装置から受け付けた記録命令情報に、記録媒体Ｐの両面（記録媒体Ｐの一方の面および他方の面）に対する記録動作の実行にかかる指示が含まれている場合に、記録媒体Ｐの他方の面にかかる擬似記録画像データを生成する。
【０１２１】
また、マイクロコンピュータ６０１は、外部装置から受け付けた記録命令情報に、記録媒体Ｐの他方の面に対する記録動作にかかる擬似記録画像データを生成する指示が含まれる場合に、当該擬似記録画像データを生成し、記録媒体Ｐの他方の面に対して当該擬似記録画像データにしたがった記録動作をおこなってもよい。これにより、プリンタ１００の利用者が任意に画質を設定することができる。
【０１２２】
マイクロコンピュータ６０１は、外部装置から受け付けた記録命令情報に、記録媒体Ｐの両面に対する記録動作の実行にかかる指示が含まれているか否かにかかわらず、記録命令情報を受け付けた場合は、記録媒体Ｐの他方の面にかかる擬似記録画像データを生成し、記録媒体Ｐの他方の面に対して当該擬似記録画像データにしたがった記録動作をおこなってもよい。これにより、たとえば、これらの従来の技術を用いて両面に記録動作をおこなった記録媒体Ｐを冊子状にした場合に、見開きページなどにおいて、グリップローラ２１３に当接した記録面（記録媒体Ｐの一方の面）と当接していない記録面（記録媒体Ｐの他方の面）との差異を目立ちにくくすることができる。
【０１２３】
（プリンタ１００の処理手順）
つぎに、この発明にかかる実施の形態のプリンタ１００の処理手順について説明する。図１０は、この発明にかかる実施の形態のプリンタ１００の処理手順を示すフローチャートである。
【０１２４】
図１０のフローチャートにおいて、まず、外部装置から出力された記録命令情報を受け付けるまで待機する（ステップＳ１００１：Ｎｏ）。ステップＳ１００１において、外部装置から出力された記録命令情報を受け付けた場合（ステップＳ１００１：Ｙｅｓ）、受け付けた記録命令情報に基づいて、擬似記録画像データを生成する（ステップＳ１００２）。
【０１２５】
ステップＳ１００２においては、たとえば、記録媒体Ｐの他方の面に対する記録動作にかかる擬似記録画像データと、記録媒体Ｐの一方の面に対する記録動作にかかる擬似記録画像データと、を生成する。記録媒体Ｐの一方の面に対する記録動作にかかる擬似記録画像データは、図７に示したパターンの擬似画素を含む擬似記録画像データであってもよく、図７に示したパターンの擬似画素を含む擬似記録画像データであってもよい。擬似画素のパターンは、ステップＳ１００１：Ｙｅｓにおいて受け付けた記録命令情報に含まれる情報に基づいて決定されるものであってもよく、プリンタ１００においてあらかじめ設定されていてもよい。
【０１２６】
また、ステップＳ１００２においては、たとえば、ステップＳ１００１：Ｙｅｓにおいて受け付けた記録命令情報に含まれる情報に基づいて、記録媒体Ｐの他方の面に対する記録動作にかかる擬似記録画像データを生成することができる。格別な指定がない場合に、記録媒体Ｐの他方の面に対する記録動作にかかる擬似記録画像データを生成するか否かは、プリンタ１００においてあらかじめ設定されていてもよい。
【０１２７】
また、ステップＳ１００２においては、ステップＳ１００１：Ｙｅｓにおいて受け付けた記録命令情報が、記録媒体Ｐの他方の面のみに対する記録動作の実行を指示する情報である場合、記録媒体Ｐの他方の面に対する記録動作にかかる擬似記録画像データを生成する。この場合も、格別な指定がない場合に、記録媒体Ｐの他方の面に対する記録動作にかかる擬似記録画像データを生成するか否かは、プリンタ１００においてあらかじめ設定されていてもよい。
【０１２８】
そして、ステップＳ１００２において生成した擬似記録画像データにしたがってドライバＩＣ６０３やモータドライバ６０４を駆動制御して（ステップＳ１００３）、記録媒体Ｐに対する記録動作をおこない、一連の処理を終了する。
【０１２９】
上述した実施の形態においては、この発明にかかるプリンタとして、サーマルヘッド２０５とプラテン２０６とによって構成される記録部２０４を一つのみ備えるプリンタ１００について説明したが、これに限るものではない。この発明にかかるプリンタは、複数の記録部を備えていてもよい。
【０１３０】
具体的には、記録媒体Ｐの片面（先に記録動作がおこなわれる面、表面、記録媒体Ｐの他方の面）に対向する位置に設けられる第１の記録部（第１の記録手段）と、記録媒体Ｐの裏面（後から記録動作がおこなわれる面、裏面、記録媒体Ｐの一方の面）に対向する位置に設けられる第２の記録部（第２の記録手段）と、を備えたプリンタによって、この発明にかかるプリンタを実現してもよい。
【０１３１】
この場合、第１の記録部および第２の記録部は、それぞれ、プリントヘッドと当該プリントヘッドに対向するプラテンとを備えて構成される。第１の記録部および第２の記録部を備えたプリンタは、第１の記録部によって記録媒体Ｐの他方の面に対する記録動作をおこない、第２の記録部によって記録媒体Ｐの一方の面に対して記録動作をおこなう。
【０１３２】
このようなプリンタにおいては、第１の記録部によって他方の面に記録動作がおこなわれた記録媒体Ｐに対する記録動作、すなわち、第２の記録部がおこなう記録動作にかかる擬似記録画像データを生成し、当該擬似記録画像データに基づいて第２の記録部を駆動する。また、このようなプリンタにおいて、さらに、第１の記録部によっておこなう記録動作にかかる擬似記録画像データを生成し、当該擬似記録画像データに基づいて第１の記録部を駆動してもよい。
【０１３３】
上述した実施の形態においては、グリップローラ２１３における突起が記録媒体Ｐに対して均等に当接する場合を想定して説明したが、これに限るものではない。グリップローラ２１３に当接するピンチローラ２１４の当接力（押圧力）の大きさの分布を、グリップローラ２１３の軸芯方向における位置ごとに調整するようにしてもよい。
【０１３４】
この場合、グリップローラ２１３に当接するピンチローラ２１４の当接力（押圧力）は、突起痕一つ一つの大きさ（直径）が第２の領域（非グリップ領域）７０２に近いほど小さくなるように設定する（図８−１を参照）。また、当接力の分布を一定とし、グリップローラの突起の大きさを、第２の領域に近いほど小さく設定してもよいし、当接力の分布と突起のサイズの分布の双方を変化させてもよい。
【０１３５】
具体的には、たとえば、グリップローラ２１３に当接するピンチローラ２１４の、グリップローラ２１３に対する当接力を、グリップローラ２１３における突起が設けられている部分では強くする。さらには、グリップローラ２１３における突起が設けられている部分のうち、境界７０３に近いほど、当接力（押圧力）が小さくなるように設定する。
【０１３６】
この場合、さらに、グリップローラ２１３に当接するピンチローラ２１４の、グリップローラ２１３に対する当接力（押圧力）に応じて擬似画素の濃度を調整する。このように、グリップローラ２１３に当接するピンチローラ２１４の、グリップローラ２１３に対する当接力（押圧力）に応じて、各擬似画素の濃度（透明度）を調整することにより、境界７０３を目立ちにくくすることができる。さらに、擬似画素を記録した領域と突起痕が生じた領域とを重複させ、疑似画像側も突起痕の大きさに応じた濃度補正量に分布させることで、擬似画素と突起痕との境界部分が目立ち、画質が低下することを抑制することができる。
【０１３７】
上述した実施の形態のプリンタ１００においては、プリンタ１００が備えるマイクロコンピュータ６０１によって疑似記録画像データを生成する例について説明したが、疑似記録画像データはプリンタ１００が備えるマイクロコンピュータ６０１によって生成するものに限らない。プリンタ１００が備えるマイクロコンピュータ６０１に代えて、プリンタドライバなどに疑似記録画像データを生成する機能をもたせることによって、プリンタ１００以外の外部装置において疑似記録画像データを生成ようにしてもよい。
【０１３８】
以上説明したように、この発明にかかる実施の形態のプリンタ１００は、記録媒体Ｐに対して昇華転写方式の記録動作をおこなう記録部２０４と、外周方向に突出した突起を有し記録媒体Ｐの一方の面に当接し、記録部２０４による記録動作の対象となる記録媒体Ｐを、当該記録部２０４による記録位置に搬送するグリップローラ２１３と、を備える。そして、この発明にかかる実施の形態のプリンタ１００は、グリップローラ２１３によって搬送される記録媒体Ｐにおいて突起に接触した第１の領域７０１以外の第２の領域７０２に記録される各画素のうち、グリップローラ２１３における突起の配列パターンに応じて決定された所定の画素の濃度を補正した擬似画素を含む擬似記録画像データを生成し、生成した擬似記録画像データに基づいて記録部２０４を制御するようにしたことを特徴としている。
【０１３９】
この発明にかかる実施の形態のプリンタ１００によれば、記録媒体Ｐの他方の面に対する記録動作に際してグリップローラ２１３の突起と接触することによって、第１の領域７０１に突起痕が生じた記録媒体Ｐの一方の面に対して記録動作をおこなう場合、突起痕が生じていない第２の領域７０２に記録される各画素のうちの所定の画素の濃度を補正することによる擬似画素を含む画像を記録することができる。
【０１４０】
これにより、グリップローラ２１３における突起のパターンにしたがったパターンで、第１の領域７０１に生じた突起痕を模して補正した擬似画素を含む画像を、第２の領域７０２に記録することができる。これによって、第１の領域７０１において白く抜けた部分（突起痕）が発生した状態と同様の状態を、第２の領域７０２において再現することができ、第１の領域７０１に生じた突起痕や、第１の領域７０１と第２の領域７０２との境界７０３を目立ちにくくすることができる。そして、これによって、この発明にかかる実施の形態のプリンタ１００によれば、同一の記録面において一定した記録品質を確保することができる。
【０１４１】
また、この発明にかかる実施の形態のプリンタ１００は、所定の画素の濃度を、当該所定の画素の周囲の画素の濃度よりも低くすることにより当該所定の画素の濃度を補正することを特徴としている。
【０１４２】
この発明にかかる実施の形態のプリンタ１００によれば、所定の画素の周囲の画素の濃度よりも低くすることによる擬似画素を含む画像を記録することができる。これにより、この発明にかかる実施の形態のプリンタ１００によれば、グリップローラ２１３における突起のパターンにしたがったパターンで、第１の領域７０１に生じた突起痕を模した色の薄い擬似画素を含む画像を、第２の領域７０２に記録することができる。
【０１４３】
そして、これにより、この発明にかかる実施の形態のプリンタ１００によれば、第１の領域７０１に生じた突起痕や、第１の領域７０１と第２の領域７０２との境界７０３を容易かつ確実に目立ちにくくすることができ、同一の記録面において一定した記録品質を確保することができる。
【０１４４】
また、この発明にかかる実施の形態のプリンタ１００は、所定の画素の濃度を、元の画像データにおける所定の画素の濃度よりも所定の割合で低くすることにより擬似記録画像データを生成することを特徴としている。
【０１４５】
この発明にかかる実施の形態のプリンタ１００によれば、各画素を特徴付ける色相、彩度、濃度（明度）に関する情報のうち、濃度に関する情報を調整することによって、所定の画素の濃度を、当該所定の画素の周囲の画素の濃度よりも低くすることができる。これにより、この発明にかかる実施の形態のプリンタ１００によれば、擬似画素を含む擬似記録画像データを生成するためにプリンタ１００にかかる処理負担の増加を抑制しつつ、第１の領域に生じた突起痕や、第１の領域７０１と第２の領域７０２との境界７０３を目立ちにくくすることができる。
【０１４６】
また、この発明にかかる実施の形態のプリンタ１００においては、第１の領域７０１において、第２の領域７０２との境界７０３に近い位置ほど、当該境界から遠い位置よりも濃度補正量の大きい擬似画素を含む擬似記録画像データを生成するようにしてもよい。より具体的には、さらに、グリップローラ２１３に当接することにより記録媒体Ｐの一方の面に生じる突起痕の大きさが、境界７０３に近い位置ほど小さくなるように突起が設けられた（あるいはピンチローラ２１４の圧力を調整した）グリップローラ２１３を用いるとともに、第１の領域７０１に記録される各画素のうち、第２の領域７０２との境界７０３に遠い位置の画素ほど、当該境界７０３から近い位置の画素よりも濃度補正量または径の少なくとも一方を小さくした擬似画素を含む擬似記録画像データを生成し、第２の領域では、第１の領域における境界部の疑似画素と同等の濃度補正量である疑似記録画像データを生成するようにしてもよい。この場合、第１の領域７０１と第２の領域７０２との境界７０３をより目立ちにくくするとともに、第２の領域に極力高精細な画像を記録することができる。これにより、より品質の高い記録物を得ることができる。
【０１４７】
また、この発明にかかる実施の形態のプリンタ１００は、記録部２０４によって他方の面に記録動作がおこなわれた記録媒体Ｐの表裏を記録位置に対して反転する反転手段としての機構を備え、グリップローラ２１３が、さらに、反転した後の記録媒体Ｐを記録位置に搬送する。そして、反転後にグリップローラ２１３によって搬送され、他方の面に記録動作がおこなわれた記録媒体Ｐに対する記録動作にかかる擬似記録画像データを生成し、生成した擬似記録画像データに基づいて記録媒体Ｐの一方の面に対する記録動作をおこなうようにしたことを特徴としている。
【０１４８】
この発明にかかる実施の形態のプリンタ１００によれば、一つの記録部２０４によって記録媒体Ｐの両面に記録動作をおこなうことができる。これにより、同一の記録面において一定した記録品質を確保することができるプリンタ１００の小型化を図ることができる。
【０１４９】
また、この発明にかかる実施の形態のプリンタ１００は、さらに、記録媒体Ｐの他方の面に記録される各画素のうち、グリップローラ２１３における突起の配列パターンに応じて決定された所定の画素の濃度を補正した擬似画素を含む擬似記録画像データを生成し、生成した擬似記録画像データに基づいて記録媒体Ｐの他方の面に対する記録動作をおこなうようにしたことを特徴としている。
【０１５０】
この発明にかかる実施の形態のプリンタ１００によれば、記録媒体Ｐの一方の面における第１の領域７０１に生じた突起痕を模した擬似画素を含む画像を、当該一方の面における第２の領域７０２に加えて、記録媒体Ｐの他方の面（表面）全面に亘って記録することができる。これにより、この発明にかかる実施の形態のプリンタ１００によれば、記録媒体Ｐの他方の面（表面）と一方の面（裏面）とで、記録された画像の品質（画質）にばらつきが生じることを抑制し、他方の面（表面）に記録した画像と一方の面（裏面）に記録した画像とを並べて比較した場合の違和感などを生じにくくすることができる。
【０１５１】
たとえば、フォトブックなどと称される冊子のように、両面に画像を記録した記録媒体Ｐの一辺を綴じることによって形成した冊子においては、突起痕が生じない記録面（片面）と突起痕が生じた一方の面（裏面）とが並べて視認される場合がある。このような状況において、突起痕が生じない他方の面（表面）の全面に擬似画素を記録することにより、冊子における見開きのように、突起痕が生じない他方の面（表面）と突起痕が生じた一方の面（裏面）とが並べて視認される場合にも、記録媒体Ｐの違いによる記録品質の差異を目立ちにくくすることができ、両面の記録動作に際して一定した記録品質を確保することができる。
【０１５２】
この発明にかかるプリンタは、記録媒体Ｐの他方の面（表面）に記録動作をおこなう第１の記録部と、当該第１の記録部による記録面の裏面である一方の面（裏面）に記録動作をおこなう第２の記録部と、を備えたプリンタに適用し、当該プリンタにおいて、第１の記録部によって片面に記録動作がおこなわれた後の第２の記録部による記録動作にかかる擬似記録画像データを生成し、当該擬似記録画像データに基づいて、記録媒体Ｐの一方の面（裏面）にかかる記録動作をおこなうようにしてもよい。
【０１５３】
このようなプリンタによれば、記録媒体Ｐを反転する機構を備えていないプリンタにおいても、グリップローラ２１３における突起のパターンにしたがったパターンで、第１の領域７０１に生じた突起痕を模して補正した擬似画素を含む画像を、第２の領域７０２に記録することができる。
【０１５４】
これによって、第１の領域７０１において白く抜けた部分（突起痕）が発生した状態と同様の状態を、第２の領域７０２において再現することができ、第１の領域７０１に生じた突起痕や、第１の領域７０１と第２の領域７０２との境界７０３を目立ちにくくすることができる。そして、これによって、この発明にかかる実施の形態のプリンタ１００によれば、同一の記録面において一定した記録品質を確保することができる。
【０１５５】
また、この発明にかかる実施の形態のプリンタ１００によれば、昇華転写方式により記録媒体Ｐの両面に記録動作をおこなう機構を備える既存のプリンタにおけるプリンタドライバなどのプログラムを変更するだけで、同一の記録面において一定した記録品質を確保することができる。これにより、ハードウエア構成を追加したり変更したりすることなく容易に実施することができる。
【産業上の利用可能性】
【０１５６】
以上のように、この発明にかかるプリンタは、記録媒体の両面への記録が可能なプリンタに有用であり、特に、昇華転写方式による記録動作をおこなうことによって記録媒体の両面への記録が可能なプリンタに適している。
【符号の説明】
【０１５７】
１００  プリンタ
２０４  記録部
２０５  サーマルヘッド
２０６  プラテン
２１３  グリップローラ
２１４  ピンチローラ
７０１  第１の領域
７０２  第２の領域
７０３  境界
Ｐ  記録媒体
【図１】
2014193544.tif 000003
【図２】
2014193544.tif 000004
【図３】
2014193544.tif 000005
【図４】
2014193544.tif 000006
【図５】
2014193544.tif 000007
【図６】
2014193544.tif 000008
【図７】
2014193544.tif 000009
【図８−１】
2014193544.tif 000010
【図８−２】
2014193544.tif 000011
【図８−３】
2014193544.tif 000012
【図９】
2014193544.tif 000013
【図１０】
2014193544.tif 000014